(57)【要約】【課題】固有の画面ＩＤが設定された各映像表示装置の位置を自動的に検出可能な技術を提供することを目的とする。【解決手段】映像表示システムは、複数の映像表示装置１の赤外線発信器３１からの赤外線信号の発信、及び、赤外線受信器３０での赤外線信号の受信の結果に基づいて、固有の画面ＩＤが設定された各映像表示装置１の縦方向の各列における位置を検出する。また、映像表示システムは、複数の映像表示装置１の赤外線発信器２７、及び、赤外線受信器２８での赤外線信号の受信の結果に基づいて、固有の画面ＩＤが設定された各映像表示装置１の横方向の各列における位置を検出する。【選択図】図１
2015200764.tif 000002
【特許請求の範囲】
【請求項１】
縦方向及び横方向に配列された複数の映像表示装置の表示画面を組み合せた表示画面に、映像を表示する映像表示システムであって、
前記複数の映像表示装置は、通信部を介して接続されるとともに、それぞれには、前記映像表示装置に固有の画面ＩＤが設定されており、
前記複数の映像表示装置のそれぞれは、
前記映像表示装置の前記縦方向の一端側に配設され、予め定められた電磁波信号を発信する第１信号発信部と、
前記映像表示装置の前記縦方向の他端側に配設され、他の前記映像表示装置の前記第１信号発信部から発信された前記電磁波信号を受信可能な第１信号受信部と、
前記映像表示装置の前記横方向の一端側に配設され、予め定められた電磁波信号を発信する第２信号発信部と、
前記映像表示装置の前記横方向の他端側に配設され、他の前記映像表示装置の前記第２信号発信部から発信された前記電磁波信号を受信可能な第２信号受信部と
を備え、
前記映像表示システムは、
前記複数の映像表示装置の前記第１信号発信部からの前記電磁波信号の発信、及び、前記第１信号受信部での前記電磁波信号の受信の結果に基づいて、固有の前記画面ＩＤが設定された各前記映像表示装置の前記縦方向の各列における位置を検出するとともに、前記複数の映像表示装置の前記第２信号発信部からの前記電磁波信号の発信、及び、前記第２信号受信部での前記電磁波信号の受信の結果に基づいて、固有の前記画面ＩＤが設定された各前記映像表示装置の前記横方向の各列における位置を検出する制御部
を備える、映像表示システム。
【請求項２】
請求項１に記載の映像表示システムであって、
前記制御部で検出される前記縦方向及び前記横方向の位置に存在する前記映像表示装置の前記画面ＩＤに関連付けられた映像ＩＤに基づいて、前記映像表示システムにて表示すべき前記映像を区分することにより、各前記映像表示装置にて表示すべき映像を生成する映像ソース部
をさらに備える、映像表示システム。
【請求項３】
請求項１に記載の映像表示システムであって、
各前記映像表示装置は、
前記制御部で検出される前記縦方向及び前記横方向の位置に存在する前記映像表示装置の前記画面ＩＤに関連付けられた映像ＩＤに基づいて、前記映像表示システムにて表示すべき前記映像に予め定められた映像処理を行うことにより、各前記映像表示装置にて表示すべき映像を生成する、映像表示システム。
【請求項４】
請求項１から請求項３のうちいずれか１項に記載の映像表示システムであって、
前記制御部が、いずれか１つの前記映像表示装置に設けられた、映像表示システム。
【請求項５】
請求項１から請求項３のうちいずれか１項に記載の映像表示システムであって、
前記制御部が、前記映像表示装置に外部から接続可能な、映像表示システム。
【請求項６】
請求項１から請求項５のうちいずれか１項に記載の映像表示システムであって、
前記電磁波信号は赤外線信号を含む、映像表示システム。
【発明の詳細な説明】
【技術分野】
【０００１】
本発明は、縦方向及び横方向に配列された複数の映像表示装置の表示画面を組み合せた一つまたは複数の表示画面に、映像を表示する映像表示システムに関する。
【背景技術】
【０００２】
複数の表示装置を通信可能に接続し、それらの表示画面を単一の連続画面として表示可能な映像表示システム（例えばマルチディスプレイ装置）においては、それぞれの表示装置の表示画面に対して映像（画像）の解像度や位置を任意に設定可能である。このような映像表示システムでは、例えば初めて使用する際などに、使用者のニーズや、表示装置の位置に従って、上記設定を行なう必要がある。
【０００３】
上記映像表示システムにおいて、単一の映像信号ソースより複数の表示装置に映像信号を配信し、それぞれの表示装置が映像を表示する技術が、例えば特許文献１及び２などに開示されている。
【０００４】
特許文献１に開示された技術では、それぞれの表示装置に個別（固有）のＩＤを予め付与しておき、大きな一枚の画面をそれぞれのＩＤ別に分割した映像を表示装置に送信する。この場合、各表示装置ごとに元映像の表示アドレスが個別に設定される。
【０００５】
特許文献２に開示された技術では、全ての表示装置に同一の映像信号が供給され、それぞれの表示装置が、当該映像信号の映像全体の中から、自身で表示すべき映像を自身の位置に対応して切り出し、当該切り出した映像を拡大して表示する。つまり、この技術では、それぞれの表示装置が元映像を分割して表示する。
【０００６】
また、特許文献３及び特許文献４にも、特許文献１及び特許文献２と同様の技術が開示されている。
【０００７】
以上のような映像表示システムにおいては、表示装置ごとの映像の切り出し位置の配信、または、映像信号ソースから各表示装置への個別の映像信号の配信と、表示装置の遠隔通信制御による電源制御及び画面調整等とを目的として、各表示装置ごとにＩＤやアドレスが付与される（例えば非特許文献１）。
【０００８】
これを実現するためには、表示装置に固有のＩＤ（画面ＩＤ）と、表示映像全体における表示画面の位置に固有のＩＤ（映像ＩＤ）とを対応させ、指定したＩＤやアドレスを持つ表示装置の物理的な位置と、表示映像の位置とを関連付ける必要がある。
【０００９】
例えば、Windows（登録商標）をＯＳ（Operating System）として搭載したコンピュータは、ＤＤＣ（Display Data Channel）を用いて接続された複数の表示装置からＥＤＩＤ（Extended Display Identification Data）を読み込み、これに含まれる表示装置のモデル名及び解像度の情報を取得する。取得されたＥＤＩＤ内の情報は、レジストリと呼ばれるデータベースに記録され、映像表示の制御に用いられる。
【００１０】
具体的には、非特許文献２に開示されているように、使用者は、コントロールパネルにおけるマルチディスプレイ（デスクトップ）の選択・確認画面のメニューを操作することにより、表示装置に自動的に付与された画面ＩＤと、表示映像全体における表示画面の位置に固有の映像ＩＤとを関連付けるための確認・指定を行う。つまり、画面ＩＤと映像ＩＤとが整合するように、使用者は、上記メニューにおいて画面ＩＤを示すアイコンの相対位置を変更することによって、映像ＩＤへの画面ＩＤの割り付けを変更する。指定された結果は、上述のレジストリ内に記録される。
【先行技術文献】
【特許文献】
【００１１】
【特許文献１】特開２００１−１６６７５９号公報
【特許文献２】特開２００３−２０８１４５号公報
【特許文献３】特開平５−２４９９３２号公報
【特許文献４】特開２００３−２８０６２４号公報
【非特許文献】
【００１２】
【非特許文献１】VESA DisplayPort Standard Version1, Revision 2a, 2012年5月23日, p.134-135
【非特許文献２】インターネット＜ＵＲＬ：http://windows.microsoft.com/ja-jp/windows/move-windows-between-multiple-monitors#1TC=windows-7＞
【発明の概要】
【発明が解決しようとする課題】
【００１３】
非特許文献２の技術では、表示装置の制御部により自動的にＩＤ（画面ＩＤ）が付与・設定されるが、設置・使用時にＯＳＤ（On-Screen Display）等を用いて手動により、画面ＩＤと映像ＩＤとを関連付ける設定を行う必要がある。つまり、設置者業者やシステムの使用者が、表示装置に個別に割り振られたＩＤやアドレスと、表示画面の位置とを割り付ける作業（関連付け作業）を手動にて行う必要がある。しかも、ディスプレイウォール等の、多数の表示画面を備える映像表示システムにおいて上記作業を行う場合などには、設置調整時の手順が煩雑となり、設置調整に長時間を要するという問題があった。
【００１４】
そこで、本発明は、上記のような問題点を鑑みてなされたものであり、固有の画面ＩＤが設定された各映像表示装置の位置を自動的に検出可能な技術を提供することを目的とする。
【課題を解決するための手段】
【００１５】
本発明に係る映像表示システムは、縦方向及び横方向に配列された複数の映像表示装置の表示画面を組み合せた表示画面に、映像を表示する映像表示システムであって、前記複数の映像表示装置は、通信部を介して接続されるとともに、それぞれには、前記映像表示装置に固有の画面ＩＤが設定されている。前記複数の映像表示装置のそれぞれは、前記映像表示装置の前記縦方向の一端側に配設され、予め定められた電磁波信号を発信する第１信号発信部と、前記映像表示装置の前記縦方向の他端側に配設され、他の前記映像表示装置の前記第１信号発信部から発信された前記電磁波信号を受信可能な第１信号受信部と、前記映像表示装置の前記横方向の一端側に配設され、予め定められた電磁波信号を発信する第２信号発信部と、前記映像表示装置の前記横方向の他端側に配設され、他の前記映像表示装置の前記第２信号発信部から発信された前記電磁波信号を受信可能な第２信号受信部とを備える。前記映像表示システムは、前記複数の映像表示装置の前記第１信号発信部からの前記電磁波信号の発信、及び、前記第１信号受信部での前記電磁波信号の受信の結果に基づいて、固有の前記画面ＩＤが設定された各前記映像表示装置の前記縦方向の各列における位置を検出するとともに、前記複数の映像表示装置の前記第２信号発信部からの前記電磁波信号の発信、及び、前記第２信号受信部での前記電磁波信号の受信の結果に基づいて、固有の前記画面ＩＤが設定された各前記映像表示装置の前記横方向の各列における位置を検出する制御部を備える。
【発明の効果】
【００１６】
本発明によれば、固有の画面ＩＤが設定された各映像表示装置の位置を自動的に検出することができる。
【図面の簡単な説明】
【００１７】
【図１】実施の形態１に係る映像表示システムの構成を示すブロック図である。
【図２】実施の形態１に係る映像表示装置の構成を示すブロック図である。
【図３】実施の形態１に係る映像表示装置の構成を示す背面図である。
【図４】実施の形態１に係る映像表示システムの動作を示すフローチャートである。
【図５】実施の形態１に係る映像表示システムの動作を示すフローチャートである。
【図６】実施の形態１に係る映像表示システムの動作を示す図である。
【図７】実施の形態１に係る映像表示システムの動作を示すフローチャートである。
【図８】実施の形態１に係る映像表示システムの動作を示す図である。
【図９】実施の形態１に係る映像表示システムの動作を示す図である。
【図１０】実施の形態１に係る映像表示システムの動作を示す図である。
【図１１】実施の形態１に係る映像表示システムの動作を示すフローチャートである。
【図１２】実施の形態１に係る映像表示システムの動作を示す図である。
【図１３】実施の形態１に係る映像表示システムの動作を示す図である。
【図１４】実施の形態１に係る映像表示システムの動作を示す図である。
【図１５】実施の形態１に係る映像表示システムの動作を示す図である。
【図１６】実施の形態１に係る映像表示システムの動作を示すフローチャートである。
【図１７】実施の形態１に係る映像表示システムの動作を示すフローチャートである。
【図１８】実施の形態２に係る映像表示システムの構成を示すブロック図である。
【発明を実施するための形態】
【００１８】
＜実施の形態１＞
本発明の実施の形態１について、図面を用いて以下に説明する。
【００１９】
＜映像表示システムの構成＞
図１は、本発明の実施の形態１に係る映像表示システム（ディスプレイシステム）の構成を示すブロック図である。図１の映像表示システムは、複数の映像表示装置１（映像表示装置１ａ〜１ｉ）と、複数の映像表示装置１で表示される映像信号を供給する映像信号ソース部（映像ソース部）１０１とを備えている。以下、映像表示装置１ａ〜１ｉを区別しない場合には、「映像表示装置１」と記して説明する。
【００２０】
映像表示装置１ａ〜１ｉのそれぞれには、固有の画面ＩＤが設定されている。ここでは、映像表示装置１ａに「１」という画面ＩＤが設定され、映像表示装置１ｂに「２」という画面ＩＤが設定され、…、映像表示装置１ｉに「９」という画面ＩＤが設定されているものとして説明する。なお、本実施の形態１では、映像表示装置１の数は９つとしているが、もちろんこれに限ったものではない。
【００２１】
複数の映像表示装置１及び映像信号ソース部１０１は、映像信号を出力する信号出力ケーブル１１と、遠隔制御及び映像表示装置１の自動検出を行うための制御信号を双方向に出力する制御用信号線１３とを含むインターフェース（表示インターフェース及び制御インターフェース）を備えている。
【００２２】
ここでは、インターフェースとして、複数の映像表示装置１を数珠つなぎで接続するデイジーチェイン接続が可能なDisplayPort（登録商標）を用いるものとして説明する。しかしインターフェースは、これに限ったものではなく、例えば、ＤＶＩ（Digital Visual Interface）、ＨＤＭＩ（登録商標）（High Definition Multimedia Interface）などのデジタルインターフェースが適用されてもよいし、ＶＧＡ（Video Graphics Array）などのアナログインターフェースが適用されてもよい。
【００２３】
映像信号ソース部１０１及び９つの映像表示装置１は、上述のインターフェース（通信部）を介して順に接続されている。具体的には、映像信号ソース部１０１のインターフェースの映像出力端子は、映像表示装置１ａのインターフェースの映像入力端子に接続されている。また、映像表示装置１ａのインターフェースの映像出力端子は、映像表示装置１ｂのインターフェースの映像入力端子に接続されており、映像表示装置１ｂのインターフェースの映像出力端子は、映像表示装置１ｃのインターフェースの映像入力端子に接続されており、…、映像表示装置１ｈのインターフェースの映像出力端子は、映像表示装置１ｉのインターフェースの映像入力端子に接続されている。同様に、映像表示装置１のインターフェースの制御端子同士も接続されている。
【００２４】
本実施の形態１では、通信可能に接続された９つの映像表示装置１が、縦方向（垂直方向）に３つずつ、横方向（水平方向）に３つずつ、マトリクス状に配列されている。これより、映像表示システムは、縦方向及び横方向に配列された複数の映像表示装置１の表示画面を組み合せた表示画面に、映像を表示することが可能となっている。
【００２５】
なお、以下では、映像信号ソース部１０１にインターフェースを介して接続された１つ目の映像表示装置１ａをマスター表示装置とし、他の映像表示装置１ｂ〜１ｉをスレーブ表示装置として説明する。ただし、これに限ったものではなく、映像表示装置１ａ以外の映像表示装置１ｂ〜１ｉが、マスター表示装置であってもよいし、映像表示装置１ａ〜１いのうちＯＳＤ（On-Screen Display）によって指定されたいずれか１つが、マスター表示装置であってもよい。
【００２６】
＜映像表示装置の構成＞
図２は、本実施の形態１に係る映像表示装置１の構成を示すブロック図である。図２の映像表示装置１は、映像信号リピータＩＣ（Integrated Circuit）２１と、スケーラＩＣ２２と、表示パネル２３と、赤外線発信器２７と、赤外線受信器２８と、赤外線発信器３１と、赤外線受信器３０と、制御出力部３３と、制御入力部３４と、これらを統括的に制御するマイクロコントローラ４０とを備えている。
【００２７】
映像信号リピータＩＣ２１は、映像表示装置１の映像入力端子及び映像出力端子に対応している。映像信号リピータＩＣ２１の入力は、映像信号ソース部１０１の出力、または、自身の前にデイジーチェイン接続によって接続された他の映像表示装置１の出力と接続されている。映像信号リピータＩＣ２１は２つの出力を有し、一方の出力は、スケーラＩＣ２２に接続されており、他方の出力は、自身の後にデイジーチェイン接続によって接続された他の映像表示装置１の入力と接続されている。
【００２８】
スケーラＩＣ２２は、映像信号リピータＩＣ２１からの映像信号に対して、予め定められた映像処理（例えば、映像の切り出し、拡大、縮小など）を、双方向に通信可能な通信手段（バス）で接続されたマイクロコントローラ４０の制御に応じて行う。スケーラＩＣ２２は、映像処理を行った映像信号を表示パネル２３に出力する。
【００２９】
表示パネル２３は、映像表示装置１の表示画面に対応しており、例えば液晶表示パネルなどの表示デバイスが適用される。表示パネル２３は、スケーラＩＣ２２からの映像信号に基づいて映像を表示する。
【００３０】
音声信号生成回路３２は、マイクロコントローラ４０の制御に応じて、音声信号を生成する。音声信号生成回路３２で生成された音声信号の音声は、後述する位置の検出に用いられる。
【００３１】
図３は、本実施の形態１に係る映像表示装置１の背面図を示す図である。この図３には、赤外線発信器２７，３１及び赤外線受信器２８，３０の、映像表示装置１の筐体での配置が示されている。
【００３２】
赤外線発信器（第１信号発信部）２７は、赤外線信号（予め定められた電磁波信号）を、マイクロコントローラ４０の制御に応じて発信する。赤外線受信器（第１信号受信部）２８は、赤外線信号を受信可能に構成されており、赤外線信号の受信に応じた信号をマイクロコントローラ４０に出力する。なお、赤外線受信器２８は、赤外線発信器２７からの赤外線信号だけでなく、外部のリモコンからの映像表示システムを制御するための赤外線信号も受信してもよい。
【００３３】
赤外線発信器２７は、図３に示すように、映像表示装置１の左端側（横方向の一端側）に配設されている。一方、赤外線受信器２８は、映像表示装置１の右端側（横方向の他端側）に配設されている。これにより、赤外線受信器２８は、自身よりも左側の他の映像表示装置１の赤外線発信器２７から発信された赤外線信号を受信可能となっている。
【００３４】
赤外線発信器（第２信号発信部）３１、赤外線信号（予め定められた電磁波信号）を、マイクロコントローラ４０の制御に応じて発信する。赤外線受信器（第２信号受信部）３０は、赤外線信号を受信可能に構成されており、赤外線信号の受信に応じた信号をマイクロコントローラ４０に出力する。なお、赤外線受信器３０は、赤外線発信器３１からの赤外線信号だけでなく、外部のリモコンからの映像表示システムを制御するための赤外線信号も受信してもよい。
【００３５】
赤外線発信器３１は、図３に示すように、映像表示装置１の上端側（縦方向の一端側）に配設されている。一方、赤外線受信器３０は、映像表示装置１の下端側（縦方向の他端側）に配設されている。これにより、赤外線受信器３０は、自身よりも下側の他の映像表示装置１の赤外線発信器３１から発信された赤外線信号を受信可能となっている。
【００３６】
本実施の形態１では、赤外線受信器２８，３０の受光部が筐体外部に露出しており、広い受光角（受光の視角）を有している。そして、赤外線発信器２７，３１は、筐体の周縁部のうち他の映像表示装置１の赤外線受信器２８，３０とそれぞれ対向する部分に形成された、例えば円筒形のホルダに埋め込まれており、発光角（発光の視角）が制限されている。これにより、一つの赤外線発信器２７，３１からの赤外線信号が、他の赤外線発信器２７，３１からの赤外線信号と干渉することなく、当該一つの赤外線発信器２７，３１の左側と真上にそれぞれ配置された映像表示装置１の赤外線受信器２８，３０に受信される可能性を高めている。
【００３７】
図２に戻って、映像表示装置１の制御出力部３３は、ＲＳ２３２ＣインターフェースのＴＸＤ（Transmit eXchange Data）に相当し、マイクロコントローラ４０の制御出力に接続されている。映像表示装置１の制御入力部３４は、ＲＳ２３２ＣインターフェースのＲＸＤ（Received eXchange Data）に相当し、マイクロコントローラ４０の制御入力に接続されている。
【００３８】
マイクロコントローラ４０には、スケーラＩＣ２２、赤外線受信器２８，３０及び制御入力部３４から信号が入力される。マイクロコントローラ４０は、入力されるこれら信号に基づいて、スケーラＩＣ２２及び赤外線発信器２７，３１を制御したり、制御信号を制御出力部３３に対して出力したりする。例えば、マイクロコントローラ４０は、スケーラＩＣ２２に対して、ＤＤＣ／ＣＩ（Display Data Channel Command Interface）、ＡＵＸ  ＣＨやＤＤＣ、ＥＤＩＤに対応した各コマンド及びデータ処理を行う。
【００３９】
＜動作＞
図４は、本実施の形態１に係る映像表示システムの画面配列構成検出動作（画面位置検出動作）を示すフローチャートである。図４の動作は、上述したマスター表示装置である映像表示装置１ａのマイクロコントローラ４０（以下「マスターコントローラ４０ａ」と記す）によって主に行われる。
【００４０】
以下の説明で明らかになるように、マスターコントローラ（制御部）４０ａは、映像表示装置１ａ〜１ｉの赤外線発信器３１からの赤外線信号の発信、及び、赤外線受信器３０での当該赤外線信号の受信の結果に基づいて、固有の画面ＩＤが設定された各映像表示装置１の縦方向の各列における位置を検出する。そして、マスターコントローラ（制御部）４０ａは、映像表示装置１ａ〜１ｅの赤外線発信器２７からの赤外線信号の発信、及び、赤外線受信器２８での当該赤外線信号の受信の結果に基づいて、固有の画面ＩＤが設定された各映像表示装置１の横方向の各列における位置を検出する。つまり、マスターコントローラ４０ａは、縦方向及び横方向における画面ＩＤの配列を検出する。
【００４１】
なお、前提として、予めマスターコントローラ４０ａには、マスター表示装置（映像表示装置１ａ）の画面ＩＤ（＝１）だけでなく、全てのスレーブ表示装置（映像表示装置１ｂ〜１ｉ）の画面ＩＤ（＝２，３，…，９）及び台数（＝８）が、記録または通知されているものとする。
【００４２】
また、マスターコントローラ４０ａと、スレーブ表示装置との間の信号の受け渡しは、制御用信号線１３によるフィードバック（双方向の通信）が用いられるが、以下の動作の説明では便宜上、制御用信号線１３によるフィードバックの記載は省略する。また、マスターコントローラ４０ａは、マスター表示装置に対して各種コマンドを送信することなくマスター表示装置を制御するが、スレーブ表示装置に対して各種コマンドを送信してスレーブ表示装置を制御することに合わせて、以下の説明では便宜上、マスター表示装置に対しても各種コマンドを送信してマスター表示装置を制御すると記載する。つまり、以下の動作の説明では、マスター表示装置とスレーブ表示装置とを区別しないものとする。
【００４３】
まず、ステップＳＴ１にて、ＯＳＤメニューまたは映像信号ソース部１０１により画面検出指示が行われると、マスターコントローラ４０ａは、全ての映像表示装置１（映像表示装置１ａ〜１ｉ）について全ての画面ＩＤのリストを読み込む。本ステップＳＴ１で読み込まれる全画面ＩＤのリストの一例を、数１に示す。
【００４４】
【数１】
2015200764.tif 000003
【００４５】
ステップＳＴ２にて、マスターコントローラ４０ａは、全ての映像表示装置１の赤外線発信器３１からの赤外線信号の発信、及び、赤外線受信器３０での赤外線信号の受信の結果を取得する。そして、マスターコントローラ４０ａは、取得した発信及び受信の結果に基づいて、全ての映像表示装置１の配列のうち最下段の映像表示装置１の数（つまり横方向の映像表示装置１の数）、及び、最下段の映像表示装置１（画面ＩＤ）を検出する。ステップＳＴ２で検出される最下段の画面ＩＤのリストの一例を、数２に示す。
【００４６】
【数２】
2015200764.tif 000004
【００４７】
ステップＳＴ３にて、マスターコントローラ４０ａは、最下段の映像表示装置１（画面ＩＤ）を起点とした、映像表示装置１の赤外線発信器３１からの赤外線信号の発信、及び、赤外線受信器３０での赤外線信号の受信の結果を取得する。そして、マスターコントローラ４０ａは、取得した発信及び受信の結果に基づいて、全ての映像表示装置１の配列のうち縦方向の各列における映像表示装置１の数、及び、縦方向の各列における各映像表示装置１（画面ＩＤ）の位置を検出する。ステップＳＴ３で検出される縦列の画面ＩＤのリストの一例を、数３に示す。
【００４８】
【数３】
2015200764.tif 000005
【００４９】
ステップＳＴ４にて、マスターコントローラ４０ａは、最下段の映像表示装置１の赤外線発信器２７からの赤外線信号の発信、及び、赤外線受信器２８での赤外線信号の受信の結果を取得する。そして、マスターコントローラ４０ａは、取得した発信及び受信の結果に基づいて、全ての映像表示装置１の配列のうち横方向の各列における各映像表示装置１（画面ＩＤ）の位置を検出する。すなわち、マスターコントローラ４０ａは、ステップＳＴ３及びステップＳＴ４を行うことにより、縦方向及び横方向の画面ＩＤの配列（位置）を検出する。ステップＳＴ４にて検出される画面ＩＤの配列リストの一例を、数４に示す。
【００５０】
【数４】
2015200764.tif 000006
【００５１】
ステップＳＴ５にて、マスターコントローラ４０ａは、ステップＳＴ４で検出された縦方向及び横方向の画面ＩＤの画面構成（配列構成）に基づいて、映像表示システムの表示画面全体（映像表示システムにて表示すべき映像全体）における各表示画面の位置に固有の映像ＩＤを決定する。なお、このように決定された映像ＩＤは、映像表示システムの表示画面の分割配列に基づくＩＤとなっている。本ステップＳＴ５にて決定される映像ＩＤの配列リストの一例を、数５に示す。
【００５２】
【数５】
2015200764.tif 000007
【００５３】
ステップＳＴ６にて、マスターコントローラ４０ａは、ステップＳＴ５で決定された映像ＩＤの配列と、ステップＳＴ４で検出された画面ＩＤの配列とに基づいて、映像ＩＤに画面ＩＤを割り付け、各映像信号の送信先を決定する。本ステップＳＴ６による、映像ＩＤ（＝Ａ，Ｂ，…，Ｉ）と画面ＩＤ（＝１，２，…，９）との対応付けを示す映像の配信先画面ＩＤリストの一例を、数６に示す。
【００５４】
【数６】
2015200764.tif 000008
【００５５】
以上のような図４に示す動作により、映像ＩＤへの画面ＩＤの割り付けが自動的に行われる。次に、ステップＳＴ２〜ステップＳＴ６の動作をそれぞれ詳細に説明する。
【００５６】
＜ステップＳＴ２＞
図５は、本実施の形態１に係る映像表示システムによるステップＳＴ２の動作を示すフローチャートである。
【００５７】
まず、ステップＳＴ２−１にて、マスターコントローラ４０ａは、全ての映像表示装置１の配列のうち水平方向の映像表示装置１の数を示すことになる水平画面カウンタを「０」にする（クリアする）。
【００５８】
ステップＳＴ２−２にて、マスターコントローラ４０ａは、全画面ＩＤのリスト（数１）に記録された全ての映像表示装置１に対して信号発信コマンドを送信して、当該映像表示装置１に赤外線信号を上方に向けて発信させる。
【００５９】
図６は、本ステップＳＴ２−２における映像表示システムの動作の一例を示す図である。図６に示されるように、全ての映像表示装置１からそれぞれ上方に向けて赤外線信号が発信される。図６の例では、最下段の映像表示装置１（映像表示装置１ａ，１ｂ，１ｃ）は、赤外線信号を受信しないが、それら以外の映像表示装置１（映像表示装置１ｄ，１ｅ，…，１ｉ）は、真下の映像表示装置１から発信された赤外線信号を受信している。
【００６０】
図５に戻って、ステップＳＴ２−３にて、マスターコントローラ４０ａは、全画面ＩＤのリストから１つの画面ＩＤを選択する。すなわち、マスターコントローラ４０ａは、全ての映像表示装置１から１つの映像表示装置１を選択する。なお、２回目以降のステップＳＴ２−３においては、選択対象の映像表示装置１のうち、ステップＳＴ２−３でまだ選択されていない１つの映像表示装置１が選択される。
【００６１】
マスターコントローラ４０ａは、ここで選択した映像表示装置１に対して受信結果出力コマンドを送信する。
【００６２】
受信結果出力コマンドを受信した映像表示装置１（ステップＳＴ２−３で選択された映像表示装置１）は、赤外線信号を受信していた場合にはマスターコントローラ４０ａに赤外線信号受信通知を送信し、そうでない場合にはマスターコントローラ４０ａに赤外線信号受信通知を送信しない。
【００６３】
ステップＳＴ２−４にて、マスターコントローラ４０ａは、赤外線信号受信通知の有無に基づいて、ステップＳＴ２−３で選択した映像表示装置１が赤外線信号を受信したか否かを確認する。受信したことを確認した場合にはステップＳＴ２−７に進み、そうでない場合にはステップＳＴ２−５に進む。
【００６４】
ステップＳＴ２−５にて、マスターコントローラ４０ａは、ステップＳＴ２−３で選択した画面ＩＤを、最下段の画面ＩＤのリストに記録する。図６の例では、映像表示装置１ｂは、赤外線信号を受信していないことから、ステップＳＴ２−５にて、映像表示装置１ｂの画面ＩＤ（＝２）が最下段の画面ＩＤのリストに記録される。
【００６５】
ステップＳＴ２−６にて、マスターコントローラ４０ａは、水平画面カウンタに「１」を加える。
【００６６】
ステップＳＴ２−７にて、マスターコントローラ４０ａは、全ての画面ＩＤ（つまり全ての映像表示装置１）について、ステップＳＴ２−４の確認を実施したか否かを判定する。確認を実施していないと判定した場合にはステップＳＴ２−３に戻り、確認を実施したと判定した場合には図５に示す動作を終了する。以上の結果として、数２に示すような最下段の画面ＩＤのリストが得られる。
【００６７】
＜ステップＳＴ３＞
図７は、本実施の形態１に係る映像表示システムによるステップＳＴ３の動作を示すフローチャートである。
【００６８】
まず、ステップＳＴ３−１にて、マスターコントローラ４０ａは、垂直方向の各列における映像表示装置１の数を示すことになる段数カウンタを「１」にする（クリアする）。
【００６９】
ステップＳＴ３−２にて、マスターコントローラ４０ａは、最下段の画面ＩＤのリスト（数２）から１つの画面ＩＤを選択する。すなわち、マスターコントローラ４０ａは、最下段の映像表示装置１から１つの映像表示装置１を選択する。なお、２回目以降のステップＳＴ３−２においては、選択対象の映像表示装置１のうち、ステップＳＴ３−２でまだ選択されていない１つの映像表示装置１が選択される。
【００７０】
マスターコントローラ４０ａは、ここで選択した映像表示装置１に対して信号発信コマンドを送信して、当該映像表示装置１に赤外線信号を上方に向けて発信させる。
【００７１】
図８は、本ステップＳＴ３−２における映像表示システムの動作の一例を示す図である。図８の例では、最下段の映像表示装置１ｃから上方に向けて赤外線信号が発信されている。
【００７２】
図７に戻って、ステップＳＴ３−３にて、マスターコントローラ４０ａは、最下段の画面ＩＤのリスト（数２）を除く全ての画面ＩＤから１つの画面ＩＤを選択する。すなわち、マスターコントローラ４０ａは、最下段の映像表示装置１を除く全ての映像表示装置１から１つの映像表示装置１を選択する。なお、２回目以降のステップＳＴ３−３においては、選択対象の映像表示装置１のうちステップＳＴ３−３でまだ選択されていない１つの映像表示装置１が選択される。
【００７３】
マスターコントローラ４０ａは、ここで選択した映像表示装置１に対して受信結果出力コマンドを送信する。
【００７４】
受信結果出力コマンドを受信した映像表示装置１（ステップＳＴ３−３で選択された映像表示装置１）は、赤外線信号を受信していた場合にはマスターコントローラ４０ａに赤外線信号受信通知を送信し、そうでない場合にはマスターコントローラ４０ａに赤外線信号受信通知を送信しない。
【００７５】
ステップＳＴ３−４にて、マスターコントローラ４０ａは、赤外線信号受信通知の有無に基づいて、ステップＳＴ３−３で選択した映像表示装置１が赤外線信号を受信したか否かを確認する。受信したことを確認した場合にはステップＳＴ３−５に進み、そうでない場合にはステップＳＴ３−８に進む。
【００７６】
ステップＳＴ３−５にて、マスターコントローラ４０ａは、ステップＳＴ３−３で選択した画面ＩＤを、ステップＳＴ３−２で選択した画面ＩＤを含む縦１列単位の画面ＩＤのリストに記録する。図８の例では、映像表示装置１ｆは、赤外線信号を受信していることから、ステップＳＴ３−５にて、映像表示装置１ｆの画面ＩＤ（＝６）が、映像表示装置１ｃの画面ＩＤ（＝３）を含む縦１列単位の画面ＩＤのリストに記録される。
【００７７】
ステップＳＴ３−６にて、マスターコントローラ４０ａは、段数カウンタに「１」を加える。
【００７８】
ステップＳＴ３−７にて、マスターコントローラ４０ａは、ステップＳＴ３−３で選択した映像表示装置１に対して信号発信コマンドを送信して、当該映像表示装置１に赤外線信号を上方に向けて発信させる。その後、ステップＳＴ３−３に戻る。
【００７９】
ステップＳＴ３−４からステップＳＴ３−８に進んだ場合、マスターコントローラ４０ａは、最下段の画面ＩＤのリストを除く全ての画面ＩＤ（つまり最下段の映像表示装置１を除く全ての映像表示装置１）について、ステップＳＴ３−４の確認を実施したか否かを判定する。確認を実施していないと判定した場合にはステップＳＴ３−３に戻り、確認を実施したと判定した場合にはステップＳＴ３−９に進む。
【００８０】
以上のループにより、例えば、図８の動作が行われた後、図８の動作と同様の図９の動作及び図１０の動作が、順に行われることになる。そして、図１０に示すような、最上段の映像表示装置１が赤外線信号を発信する動作が行われた後に、ステップＳＴ３−８からステップＳＴ３−９に進むことになる。これにより、数３に示すような縦列の画面ＩＤのリストのうち１つのリスト（１つの縦１列単位のリスト）が得られる。
【００８１】
ステップＳＴ３−９にて、マスターコントローラ４０ａは、ステップＳＴ３−２で選択した最下段の画面ＩＤに、この時点で得られていた段数カウンタを対応付けて記録する。
【００８２】
ステップＳＴ３−１０にて、マスターコントローラ４０ａは、最下段の画面ＩＤのリストに記録された全ての画面ＩＤ（つまり全ての最下段の映像表示装置１）について、ステップＳＴ３−４の確認を実施したか否かを判定する。確認を実施していないと判定した場合にはステップＳＴ３−１に戻り、確認を実施したと判定した場合には図７に示す動作を終了する。以上の結果として、数３に示すような縦列の画面ＩＤのリスト（１以上の縦１列単位のリスト）が得られる。
【００８３】
＜ステップＳＴ４＞
図１１は、本実施の形態１に係る映像表示システムによるステップＳＴ４の動作を示すフローチャートである。
【００８４】
まず、ステップＳＴ４−１にて、マスターコントローラ４０ａは、最下段の画面ＩＤのリストに記載された全ての映像表示装置１に対して信号発信コマンドを送信して、当該映像表示装置１に赤外線信号を右方に向けて発信させる。図１２は、本ステップＳＴ４−１における映像表示システムの動作の一例を示す図である。図１２の例では、最下段の映像表示装置１ａ，１ｂ，１ｃからそれぞれ右方に向けて赤外線信号が発信されている。
【００８５】
図１１に戻って、ステップＳＴ４−２にて、マスターコントローラ４０ａは、赤外線信号受信通知の有無に基づいて、最下段の全ての映像表示装置１が赤外線信号を受信したか否かを確認する。
【００８６】
ステップＳＴ４−３にて、マスターコントローラ４０ａは、赤外線の受信がない映像表示装置１の画面ＩＤを左端と判定する。
【００８７】
ステップＳＴ４−４にて、マスターコントローラ４０ａは、左端と判定された画面ＩＤの映像表示装置１に対して信号発信コマンドを送信して、当該映像表示装置１に赤外線信号を右方に向けて発信させる。図１３は、本ステップＳＴ４−４における映像表示システムの動作の一例を示す図である。図１３の例では、最下段の左端と判定された映像表示装置１ｃから右方に向けて赤外線信号が発信されている。
【００８８】
図１１に戻って、ステップＳＴ４−５にて、マスターコントローラ４０ａは、赤外線信号受信通知の有無に基づいて、赤外線信号を発信した映像表示装置１を除く最下段の映像表示装置１が赤外線信号を受信したか否かを確認する。
【００８９】
ステップＳＴ４−６にて、マスターコントローラ４０ａは、赤外線の受信があった映像表示装置１の画面ＩＤを隣接画面ＩＤと判定する。
【００９０】
ステップＳＴ４−７にて、マスターコントローラ４０ａは、最下段の画面ＩＤのリストを参照して、位置検出を行う列が残り１列か否かを判定する。位置検出を行う列が残り１列ではないと判定した場合、すなわち、残り２列以上と判定した場合にはステップＳＴ４−４に戻り、位置検出を行う列が残り１列と判定した場合にはステップＳＴ４−８に進む。
【００９１】
図１３の例では、横方向が３列であるため、左端の映像表示装置１ｃと隣接する映像表示装置１ｂにおいては、位置検出を行う列が残り１列と判定され、ステップＳＴ４−８に進むことになる。また、図１４は、本ステップＳＴ４−７における映像表示システムの動作の他の例を示す図である。図１４の例では、横方向が４列であるため、左端の映像表示装置１ｄと隣接する映像表示装置１ｃにおいては、位置検出を行う列が残り２列以上と判定され、ステップＳＴ４−４に戻ることになる。
【００９２】
ステップＳＴ４−４にて、マスターコントローラ４０ａは、隣接画面ＩＤであると判定された画面ＩＤの映像表示装置１に対して信号発信コマンドを送信して、当該映像表示装置１に赤外線信号を右方に向けて発信させた後、以降の動作を繰り返す。
【００９３】
ステップＳＴ４−８にて、マスターコントローラ４０ａは、残り１列を最右列と判定し図１１に示す動作を終了する。以上の結果として、数４に示すような画面ＩＤの配列リストが得られる。図１５（ａ）には、当該画面ＩＤの配列リストがテーブル形式で示されている。
【００９４】
＜ステップＳＴ５＞
図１６は、本実施の形態１に係る映像表示システムによるステップＳＴ５の動作を示すフローチャートである。
【００９５】
まず、ステップＳＴ５−１にて、マスターコントローラ４０ａは、画面ＩＤの配列リスト（数４、図１５（ａ））の横方向の画面ＩＤの数に基づいて、映像表示システムの表示画面全体（映像表示システムにて表示すべき映像全体）の横方向の分割数を決定する。
【００９６】
ステップＳＴ５−２にて、マスターコントローラ４０ａは、画面ＩＤの配列リスト（数４、図１５（ａ））の縦方向の画面ＩＤの数に基づいて、映像表示システムの表示画面全体（映像表示システムにて表示すべき映像全体）の縦方向の分割数を決定する。
【００９７】
ステップＳＴ５−３にて、マスターコントローラ４０ａは、決定した横方向及び縦方向の分割数に基づいて、映像ＩＤの配列リストを決定する。これにより、数５に示すような映像ＩＤの配列リストが得られる。図１５（ｂ）には、当該映像ＩＤの配列リストがテーブル形式で示されている。
【００９８】
＜ステップＳＴ６＞
図１７は、本実施の形態１に係る映像表示システムによるステップＳＴ６の動作を示すフローチャートである。
【００９９】
まず、ステップＳＴ６−１にて、マスターコントローラ４０ａは、ステップＳＴ４で得られた画面ＩＤの配列リスト（数４、図１５（ａ））を読み込む。
【０１００】
ステップＳＴ６−２にて、マスターコントローラ４０ａは、ステップＳＴ５で得られた映像ＩＤの配列リスト（数５、図１５（ｂ））を読み込む。
【０１０１】
ステップＳＴ６−３にて、マスターコントローラ４０ａは、読み込んだ映像ＩＤの配列リストに含まれる各映像ＩＤに、読み込んだ画面ＩＤの配列リストに含まれる各画面ＩＤを映像ＩＤのＡから順に関連付ける（割り付ける）。これにより、映像ＩＤは、縦方向及び横方向の位置に存在する映像表示装置１の画面ＩＤに関連付けられ、数６に示すような映像の配信先画面ＩＤリストが得られる。図１５（ｃ）には、当該映像の配信先画面ＩＤリストがテーブル形式で示されている。
【０１０２】
＜ステップＳＴ６後の動作＞
マスターコントローラ４０ａは、ステップＳＴ６で得られた映像の配信先画面ＩＤリストを、制御用信号線１３を用いて映像信号ソース部１０１に送信する。そして、映像信号ソース部１０１は、取得した映像の配信先画面ＩＤリスト（映像ＩＤ）に基づいて、映像表示システムにて表示すべき映像を区分することにより、各映像表示装置１にて表示すべき映像を生成する。そして、映像信号ソース部１０１は、生成した映像を、対応する画面ＩＤの映像表示装置１に送信（配信）する。なお、映像信号ソース部１０１にパーソナルコンピュータ（ＰＣ）を適用する場合には、映像ＩＤと画面ＩＤとを関連付けた情報と、各画面の解像度の情報がレジストリに格納される。このような構成によれば、映像信号ソース部１０１は、マスターコントローラ４０ａで検出された画面設置位置及び構成にしたがって、各映像表示装置１に対応した映像信号を自動生成することができる。
【０１０３】
ただし、これに限ったものではなく、例えば、マスターコントローラ４０ａは、ステップＳＴ６で得られた映像の配信先画面ＩＤリストを、制御用信号線１３を用いて各映像表示装置１に送信してもよい。そして、各映像表示装置１が、映像ＩＤに基づいて、映像表示システムにて表示すべき映像に予め定められた映像処理（例えば、映像の切り出し、拡大、縮小など）を行うことにより、各映像表示装置１にて表示すべき映像を生成してもよい。このような構成によれば、各映像表示装置１は、マスターコントローラ４０ａで検出された画面設置位置と構成とにしたがって、各映像表示装置１に対応した映像の切り出し及び拡大の設定を自動的に行うことができる。
【０１０４】
＜効果＞
以上のような本実施の形態１に係る映像表示システムによれば、固有の画面ＩＤが設定された各映像表示装置１の位置（各表示画面の設置位置）を自動的に検出することができる。これにより、例えば、映像表示システムの設置時の設置業者等による映像ＩＤ及び画面ＩＤの割り付け作業の手間を低減することができる。また、DisplayPortによるデイジーチェイン接続だけでなく、DisplayPortやＬＡＮ（Local Area Network）によるＩＰ映像配信などのツリー接続やハブ接続による映像配信においても、以上と同様の自動割り付けの実現が可能となる。
【０１０５】
また、本実施の形態１では、予め定められた電磁波信号に、赤外線信号を適用した。これにより、一般的な映像表示装置に実装されている赤外線受発光デバイスを用いることが可能となり、特別な専用インターフェースやデバイスの数をなるべく減らすことができる。よって、上述の機能を安価に構成することができる。
【０１０６】
＜変形例＞
以上の構成において、予め定められた電磁波信号は、赤外線信号であるとして説明したが、これ以外の電磁波信号が適用されてもよい。
【０１０７】
＜実施の形態２＞
＜構成＞
図１８は、本発明の実施の形態２に係る映像表示システムの構成を示すブロック図である。なお、本実施の形態２に係る映像表示システムにおいて、以上で説明した構成要素と同一または類似するものについては同じ参照符号を付し、異なる部分について主に説明する。
【０１０８】
実施の形態１では、各映像表示装置１の位置（各表示画面の位置）を自動的に検出する制御部は、マスター表示装置（いずれか１つの映像表示装置１）に設けられていた。
【０１０９】
これに対して、本実施の形態２では、当該制御部は、映像表示装置１に外部から接続可能な制御装置１５として備えられている。具体的には、制御装置１５は、映像信号ソース部１０１の内部の制御装置、または、映像信号ソース部１０１の外部の独立の制御装置であり、ＲＣ２３２Ｃインターフェース等の通信部によって、映像表示装置１ａの制御入力部３４（図２）に信号ケーブル１６を介して接続されている。映像表示装置１ａの制御出力部３３は、次の映像表示装置１ｂの制御入力部３４に制御用信号線１３を介して接続されている。制御装置１５は、通信部により、映像信号ソース部１０１に接続されており、映像信号ソース部１０１における信号ソースの映像出力の制御を行う。
【０１１０】
映像表示装置１ａ〜１ｉは全てスレーブ表示装置として動作し、マスターコントローラ４０ａの役割を制御装置１５が担う。
【０１１１】
＜効果＞
以上のような本実施の形態２に係る映像表示システムによれば、実施の形態１に係る映像表示システムと同様の作用効果を得ることができる。すなわち、固有の画面ＩＤが設定された各映像表示装置１の位置（各表示画面の設置位置）を自動的に検出することができるので、例えば、映像表示システムの設置時の設置業者等による映像ＩＤ及び画面ＩＤの割り付け作業の手間を低減することができる。また、DisplayPortによるデイジーチェイン接続だけでなく、DisplayPortやＬＡＮ（Local Area Network）によるＩＰ映像配信などのツリー接続やハブ接続による映像配信においても、以上と同様の自動割り付けの実現が可能となる。
【０１１２】
なお、本発明は、その発明の範囲内において、各実施の形態及び変形例を自由に組み合わせたり、各実施の形態及び変形例を適宜、変形、省略したりすることが可能である。
【符号の説明】
【０１１３】
１，１ａ〜１ｉ  映像表示装置、１１  信号出力ケーブル、１３  制御用信号線、１５  制御装置、２７  赤外線発信器、２８  赤外線受信器、３０  赤外線受信器、３１  赤外線発信器、４０  マイクロコントローラ、４０ａ  マスターコントローラ、１０１  映像信号ソース部。
【図１】
2015200764.tif 000009
【図２】
2015200764.tif 000010
【図３】
2015200764.tif 000011
【図４】
2015200764.tif 000012
【図５】
2015200764.tif 000013
【図６】
2015200764.tif 000014
【図７】
2015200764.tif 000015
【図８】
2015200764.tif 000016
【図９】
2015200764.tif 000017
【図１０】
2015200764.tif 000018
【図１１】
2015200764.tif 000019
【図１２】
2015200764.tif 000020
【図１３】
2015200764.tif 000021
【図１４】
2015200764.tif 000022
【図１５】
2015200764.tif 000023
【図１６】
2015200764.tif 000024
【図１７】
2015200764.tif 000025
【図１８】
2015200764.tif 000026